(57)【要約】【課題】グレアを抑制して、光をデザインし、演出効果を高め、照明装置として付加価値を高めることが可能な照明装置を提供すること。【解決手段】本発明は、発光素子２２を光源とする光源部２と、この光源部２から光が照射され、光の透過率が相対的に小さい領域７２ａと、光の透過率が相対的に大きい領域７２ｂとが混在するように形成された光透過制御部７２と、この光透過制御部７２に対応して設けられた多面体からなる光学部品７１とを具備する照明装置である。【選択図】図４
2014049275.tif 000002
【特許請求の範囲】
【請求項１】
基板に実装された複数の発光素子と；
この発光素子から照射された光の透過率が相対的に小さい領域と、光の透過率が相対的に大きい領域とが混在するように形成された光透過制御手段が設けられたセードと；
前記発光素子と前記セードとの間に設けられる光学制御部材と；
を具備することを特徴とする照明装置。
【請求項２】
前記光透過制御手段は、光源部を覆うセードに形成されていることを特徴とする請求項１に記載の照明装置。
【発明の詳細な説明】
【技術分野】
【０００１】
本発明の実施形態は、発光ダイオード（以下、ＬＥＤと称する。）等の発光素子を光源とする照明装置に関する。
【背景技術】
【０００２】
近時、ＬＥＤの高出力化、高効率化に伴い、光源としてＬＥＤを用いた屋内又は屋外で使用される長寿命化が期待できる照明装置が開発されている。この照明装置は、ＬＥＤを基板に複数実装して所定の明るさを得るようにしたもので、例えば、天井面等に取付けられる一般住宅用のシーリングライトとして用いられている。
【０００３】
このような照明装置においては、光源としてのＬＥＤの輝度が高く、出射される光の指向性が強いこと等から、光を均一に分散して放射させるため、ＬＥＤの前面側に拡散材（セード）が配置されるようになっている。
【先行技術文献】
【特許文献】
【０００４】
【特許文献１】特開２００９−１１７１６０号公報
【発明の概要】
【発明が解決しようとする課題】
【０００５】
しかしながら、生活様式の多様化に伴って、これら照明装置に求められる機能としては、単に、周囲を明るく照らすのみではなく、光をデザインして、演出効果を高め、照明装置として付加価値を高めることが望まれている。
【０００６】
本発明は、上記課題に鑑みなされたもので、グレアを抑制して輝きのある演出効果を高め、意匠性のある照明装置として付加価値を高めることが可能な照明装置を提供することを目的とする。
【課題を解決するための手段】
【０００７】
本発明の実施形態による照明装置は、発光素子を光源とする光源部と；この光源部から照射された光の透過率が相対的に小さい領域と、光の透過率が相対的に大きい領域とが混在するように形成された光透過制御手段が設けられたセードと；前記光源部と前記セードとの間に設けられる拡散部材と；を備えている。
【発明の効果】
【０００８】
本発明の実施形態によれば、グレアを抑制して演出効果を高め、照明装置として付加価値を高めることが可能な照明装置を提供することができる。
【図面の簡単な説明】
【０００９】
【図１】本発明の実施形態に係る照明装置を示す斜視図である。
【図２】同照明装置を示す分解斜視図である。
【図３】同照明装置においてカバー部材及び点灯装置カバーを取外して下方から見て示す概略平面図である。
【図４】同照明器具を示す断面図である。
【図５】図４中、Ａ部を拡大して示す断面図である。
【発明を実施するための形態】
【００１０】
以下、本発明の実施形態について図１乃至図５を参照して説明する。各図においてリード線等による配線接続関係は省略して示している場合がある。なお、同一部分には同一符号を付し、重複した説明は省略する。
【００１１】
本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
【００１２】
図１乃至図４において、照明器具は、本体１と、光源部２と、拡散部材３と、点灯装置４と、点灯装置カバー５と、取付部６と、セード７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
【００１３】
本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側へ向かう段差部１３が形成されて樋状の凹部１４が形成されている。さらに、本体１の背面側には、弾性部材１５が設けられている。
【００１４】
光源部２は、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
【００１５】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００１６】
基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００１７】
発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色のものと電球色のものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
【００１８】
なお、特定の基板２１（図３中、右側）には、常夜灯用の発光素子２２ａが実装されている。この発光素子２２ａには、サークル状に実装された主光源における電球色のものと同じＬＥＤパッケージが用いられている。これにより部材の共通化が図られている。
【００１９】
なお、発光素子２２は、必ずしも複数列に実装する必要はない。例えば、周方向に沿って１列に実装するようにしてもよい。所望する出力に応じて発光素子２２の列数や個数を適宜設定することができる。
【００２０】
ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
【００２１】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２２】
拡散部材３は、レンズ部材であり、例えば、ポリカーボネートやアクリル樹脂等の絶縁性を有する透明合成樹脂からなり、強化絶縁性能を有している。そして、前記発光素子２２の配置に沿って略サークル状に一体的に形成されていて、発光素子２２を含めて基板２１の全面を覆うように配設されている。
【００２３】
また、レンズ部材は、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
【００２４】
さらに、これら突条部３１からは幅方向に延出する平坦部３３が形成されており、これにより基板２１の全面が覆われるようになっている。
【００２５】
このように構成されたレンズ部材によれば、図５に示すように複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００２６】
したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
【００２７】
また、拡散部材３には、平坦部３３が形成されて基板２１の全面を覆うようになっているので、充電部が強化絶縁性能を有する拡散部材３によって覆われ保護される。
【００２８】
なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
【００２９】
また、拡散部材３は、レンズ部材に限らず、プリズム等を適用して、発光素子２２の照射範囲の異方性を持たせるようにしてもよい。
【００３０】
上記のように構成された光源部２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。つまり、１本のねじＳによって基板２１と拡散部材３とが共締めされている。
【００３１】
したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
【００３２】
加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
【００３３】
点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
【００３４】
このような点灯装置４は、取付部６と光源部２、すなわち、基板２１との間に配設されている。
【００３５】
点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部が形成されている。
【００３６】
取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
【００３７】
なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
【００３８】
セード７は、アクリル樹脂等の透光性を有し、乳白色を呈する拡散性を備えた材料から略円形状に形成されている。
【００３９】
そして、セード７は、光源部２を含めた本体１の前面側を覆うように本体１の外周縁部に着脱可能に取付けられるようになっている。具体的には、セード７を回動することによって、セード７に設けられた図示しないカバー取付金具を本体１の外周縁部の凹部１４に配設されたセード受金具７５に係合することにより取付けられる。
【００４０】
セード７の内面には光透過制御部７１が形成されている。この光透過制御部７１は、光の透過率が相対的に小さい領域７１ａと、光の透過率が相対的に大きい領域７１ｂとが混在するように形成されている。
【００４１】
詳しくは、光透過制御部７１は、セード７の内面側にシルク印刷が施されて形成されていて、光の透過率が相対的に小さい領域７１ａに、光の透過率が相対的に大きい領域７１ｂが多数形成されるようになっている。光の透過率が相対的に小さい領域７１ａは、例えば、白色のインキが塗装されている部分であり、光の透過率が相対的に大きい領域７１ｂは、白色のインキが塗布されていない部分であり、この部分は、白色のインキが塗布されている領域に、多数（無数）の小円形状が散在するように形成されている。
【００４２】
つまり、セード７の内面側には多数の小円形状の部分を残して白色のインキが塗布され印刷されている。
【００４３】
したがって、光の透過率が相対的に小さい領域７１ａに照射される光は、その透過が抑制され、光の透過率が相対的に大きい領域７１ｂ、すなわち、多数の小円形状の部分に照射される光はその透過が良好に行われるようになる。
【００４４】
ここで、光の透過率が相対的に小さい、大きいとは、領域７１ａ、７１ｂとの相対的関係を意味しており、例えば、光の透過率が相対的に小さい領域７１ａは、所定の透過率を有して形成される場合が多く、光源部２からの照射光を拡散し、下方の照射面へ照射するものであるが、殆ど透過されない実質的に不透過に形成される場合があっても構わない。
【００４５】
すなわち、セードにおける光の透過率が相対的に大きい領域７１ｂ以外の領域は、透光性を有し、乳白色を呈して拡散性を備えて形成されている。
【００４６】
因みに、このようなセード７の成型にあたっては、その材料であるアクリル樹脂等のシートの裏面側に多数の小円形状の部分（インキが塗布されない部分）が形成されているようにシルク印刷を施し、その後、略円形状の所定の形状に圧空成形して製作される。
【００４７】
さらに、光の透過率が相対的に小さい領域７１ａと光の透過率が相対的に大きい領域７１ｂとは、逆の関係で形成するようにしてもよい。つまり、光の透過率が相対的に小さい領域として多数の小円形状の部分を形成するようにしてもよい。この場合、小円形状の径寸法を設計に応じて適宜設定すればよい。
【００４８】
さらにまた、光の透過率が相対的に大きい領域７１ｂをセード７の内外を貫通する小穴によって形成することもできる。この場合にも光の透過率が相対的に小さい領域と、光の透過率が大きい領域を混在するように形成することが可能となる。
【００４９】
このように、光の透過率が相対的に小さい領域７１ａと、光の透過率が相対的に大きい領域７１ｂとが混在するように形成する構成は、種々の構成を採用することが可能であり、各別特定の構成に限定されるものではない。
【００５０】
なお、拡散部材３とセード７との間の距離は、２０〜６０ｍｍ、好ましくは３０〜５０ｍｍに設定されている。これにより、照射光の均斉度が良好となり、基板２１の実装面側から拡散部材３に伝導された熱がセード７を経由して効果的に放熱されるようになる。
【００５１】
アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置４へ接続する電源コードが導出されていて、点灯装置４とコネクタを介して接続されるようになっている（図３参照）。
【００５２】
次に、照明器具の天井面Ｃへの取付状態について図４を参照して説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ1がアダプタガイドの係合口６１に確実に係合するまで器具本体を下方から手で押し上げて取付け操作を行う。そして、セード７を本体１に取付ける。この取付完了状態が図４に示す状態であり、このとき、弾性部材１５が天井面Ｃと本体１の背面側との間に密着状態で介在され、照明器具は、天井面Ｃに固定状態となる。
【００５３】
また、照明器具を取外す場合には、セード７を取外し、アダプタＡに設けられているレバーを操作してアダプタＡの係止部Ａ1の係合を解くことにより取外すことができる。
【００５４】
照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、セード７の光透過制御部７２に向かう光は、主として多数の小円形状の光の透過率が相対的に大きい領域７１ｂを透過し、セード７を透過して照射される。この場合、発光素子２２から照射された光は、拡散部材３によって、屈曲、分散、反射され、それぞれの進行方向に向けセード７を介して外方へ照射される。
【００５５】
このような照射光は、照明装置の下方から見上げると、発光素子２２と直線上に並んで位置する光の透過率が相対的に大きい領域７１ｂを通して発光素子２２を直視することになり強い光を感じる。一方、相対的に光の透過率が大きい領域７１ｂと支点を結んだ直線状に光源が存在しない場合でも、拡散部材により発光素子２２の光が拡散され、やや弱い光を感じることができる。拡散部材をレンズとすることで、発光素子２２からの光を様々な角度から直視可能となるため、その輝きの頻度や強さを向上させることができる。
【００５６】
このような構成によれば、視点と発光素子２２と相対的に透過率が高い領域７１ｂが直線上にあれば強い光、拡散部材により拡散した発光素子２２からの拡散光と視点と相対的に透過率の大きい領域７１ｂが直線上にあればきらきら感の弱い光、相対的に透過率の大きい領域７１ｂと視点を結んだ直線上に発光素子２２および発光素子からの拡散光が存在しなければ、きらきらとした光を感じることはなくなる。
【００５７】
このように、照明装置を見上げた場合においても、照明装置の側方から見た場合においても、発光素子２２が点状の光が強い光できらきらと輝いているように見える部分と、弱い光できらきらと輝いているように見える部分と、輝きを感じない部分と混在するので発光素子２２によるグレアが抑制された状態で視認されるようになる。なお、視点を動かすことで、輝きを感じる領域がそれぞれ光の強さを変化させたり、点滅を繰り返すことで、見る位置が変化することで、様々な箇所がきらきらと不規則に輝きの強さを輝く装飾効果を得られる。さらに、相対的に光の透過率が小さい７１ａ領域を介する光により、照射光の均斉度の向上を図ることができる。
【００５８】
一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
【００５９】
また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
【００６０】
加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
【００６１】
以上のように本実施形態によれば、照明装置を見上げたときには、光がデザインされて点光源の光がきらきらと輝いているように見え、装飾効果が得られ、演出効果が高められるようになる。さらに、発光素子２２を連続して覆う拡散部材３を設けることによって照射光の均斉度の向上を図ることが可能な照明器具を提供することができる。
【００６２】
なお、本発明は、上記各実施形態の構成に限定されることなく、発明の要旨を逸脱しない範囲で種々の変形が可能である。例えば、光透過制御部７１の相対的に光の透過率が大きい領域７１ｂの形状は円形に限らず、さらに、セード全体に形成された光透過制御部の孔をパターン化することも適用できる。
【符号の説明】
【００６３】
１・・・本体、２・・・光源部、３・・・拡散部材（レンズ部材）、４・・・点灯装置、５・・・点灯装置カバー、６・・・取付部（アダプタガイド）、７・・・セード、７１ａ・・・光の透過率が相対的に小さい領域、７１ｂ・・・光の透過率が相対的に大きい領域、１３・・・段差部、２１・・・基板、２２・・・発光素子（ＬＥＤ）、３１・・・突条部、３３・・・平坦部、Ａ・・・アダプタ、Ｃ・・・器具取付面（天井面）、Ｃｂ・・・配線器具（引掛けシーリングボディ）
【図１】
2014049275.tif 000003
【図２】
2014049275.tif 000004
【図３】
2014049275.tif 000005
【図４】
2014049275.tif 000006
【図５】
2014049275.tif 000007